(57)【特許請求の範囲】
【請求項１】
パネルから少なくとも一部が露出するように配置され、パネル内の基板上に固定された電子部品の回転軸を回転する回転つまみの取付装置であって、
前記回転つまみには、前記パネルに形成した環状リブに嵌合される環状つばと、前記電子部品の回転軸に形成された被係合リブに係合される回転力伝達リブとを備え、
前記電子部品の回転軸に形成された被係合リブおよび前記回転つまみに形成された回転力伝達リブは、一方は、回転軸または回転つまみの周面に突出するように形成され、他方は前方に突出する姿勢で前記周面上の一方のリブに係合するように周方向に所定角度毎に複数設けられており、
前記パネルの環状リブに対する回転つまみの環状つばの嵌合は、回転つまみをパネルに対して周方向に摺動自在になるように構成され、
前記回転つまみを電子部品の回転軸に係合するとともにその環状つばをパネルに嵌合することにより、回転つまみをパネルに回転自在に取り付けた回転つまみの取付装置。
【請求項２】
回転つまみの回転力伝達リブと回転軸の被係合リブとは、係合可能な範囲内で隙間が設けられている請求項１記載の回転つまみの取付装置。
【発明の詳細な説明】
【０００１】
【発明の属する技術分野】
本発明は、ラジオカセット装置、ミニコンポネント装置、ビデオ装置等の映像音響機器装置の前面パネルなどに設けられる回転つまみの取付装置に関するものである。
【０００２】
【従来の技術】
従来、この種の回転つまみの取付構造としては、図６（ａ），（ｂ）、図７に示すようなものであった。図６（ａ），（ｂ）、図７において、１１はラジオカセット装置、ミニコンポネント装置、ビデオ装置等の映像音響機器装置の前面などに配設されるパネル、１２はプリント基板１３に取り付けられたロータリエンコーダなどの中空の回転軸１４を備えた電子部品、１５は回転軸１４を回転操作するための中空の回転つまみである。
【０００３】
従来においては、回転つまみ１５を配置するための丸孔１１ａがパネル１１に形成され、回転つまみ１５はこのパネル１１の丸孔１１ａを通して電子部品１２の回転軸１４に取り付けられている。
【０００４】
回転つまみ１５には、電子部品１２側に配置されるその筒状部１５ａに、内側に向けて爪状に突出する係合片１５ｂが、可撓性を有する状態で例えば周方向９０度間隔毎に形成されている。これに対応するように、電子部品１２の回転軸１４にも外側に突出する４つの係合片１４ａが形成され、回転つまみ１５の筒状部１５ａを回転軸１４に嵌め込むことで、回転つまみ１５の係合片１５ｂと回転軸１４の係合片１４ａとが係合して、回転つまみ１５が電子部品１２の回転軸１４に取り付けられる。
【０００５】
また、電子部品１２の回転軸１４には外方に向けて突出する突部１４ｂが４箇所設けられているとともに、この突部１４ｂに係合するように回転つまみ１５に切欠部１５ｃが形成され、これらの切欠部１５ｃおよび突部１４ｂを介して、回転つまみ１５の回転力を電子部品１２の回転軸１４に伝達して回転させるようになっている。
【０００６】
【発明が解決しようとする課題】
しかしながら、このような従来の回転つまみ１５の取付構造によれば、回転つまみ１５が回転軸１４に取り付けられているため、回転軸１４の軸心とパネル１１の丸孔１１ａの中心とのずれや、回転軸１４に対する回転つまみ１５の取り付け状態の際のがたつきによって、回転つまみ１５の中心位置がパネル１１の丸孔１１ａの中心からずれてしまうことがある。その結果、回転つまみ１５が設けられている箇所の体裁が低下したり、回転つまみ１５がパネル１１の丸孔１１ａの壁面に干渉しないようにパネル１１の丸孔１１ａを大き目に形成しなければならなくなり、さらに体裁を低下させたりする課題を生じていた。
【０００７】
また、回転つまみ１５を回転軸１４に取り付ける際には、回転つまみ１５の係合片１５ｂおよび切欠部１５ｃが回転軸１４の係合片１４ａおよび突部１４ｂに対応する特定位置に配置となるように見て確認した上で、取付作業を行っているため、多くの手間や時間がかかっていた。
【０００８】
本発明は、上記従来の課題を鑑み、パネルに対する回転つまみのラジアル方向のずれを最小限に抑えることができ、任意の回転角度で回転つまみを嵌め合わせることのできる回転つまみの取付装置を提供することを目的としてなされたものである。
【０００９】
【課題を解決するための手段】
この課題を解決するために本発明は、パネルから少なくとも一部が露出するように配置され、パネル内の基板上に固定された電子部品の回転軸を回転する回転つまみの取付装置であって、前記回転つまみには、前記パネルに形成した環状リブに嵌合される環状つばと、前記電子部品の回転軸に形成された被係合リブに係合される回転力伝達リブとを備え、前記電子部品の回転軸に形成された被係合リブおよび前記回転つまみに形成された回転力伝達リブは、一方は、回転軸または回転つまみの周面に突出するように形成され、他方は前方に突出する姿勢で前記周面上の一方のリブに係合するように周方向に所定角度毎に複数設けられており、前記パネルの環状リブに対する回転つまみの環状つばの嵌合は、回転つまみをパネルに対して周方向に摺動自在になるように構成され、前記回転つまみを電子部品の回転軸に係合するとともにその環状つばをパネルに嵌合することにより、回転つまみをパネルに回転自在に取り付けたものであり、これによれば、パネルに対する回転つまみのラジアル方向のずれを最小限に抑えることができ、任意の回転角度で回転つまみを嵌め合わせることができる。
【００１０】
【発明の実施の形態】
本発明の請求項１に記載の発明は、パネルから少なくとも一部が露出するように配置され、パネル内の基板上に固定された電子部品の回転軸を回転する回転つまみの取付装置であって、前記回転つまみには、前記パネルに形成した環状リブに嵌合される環状つばと、前記電子部品の回転軸に形成された被係合リブに係合される回転力伝達リブとを備え、前記電子部品の回転軸に形成された被係合リブおよび前記回転つまみに形成された回転力伝達リブは、一方は、回転軸または回転つまみの周面に突出するように形成され、他方は前方に突出する姿勢で前記周面上の一方のリブに係合するように周方向に所定角度毎に複数設けられており、前記パネルの環状リブに対する回転つまみの環状つばの嵌合は、回転つまみをパネルに対して周方向に摺動自在になるように構成され、前記回転つまみを電子部品の回転軸に係合するとともにその環状つばをパネルに嵌合することにより、回転つまみをパネルに回転自在に取り付けたものである。
【００１１】
この構成によれば、回転つまみをパネルに回転自在に取り付けているため、パネルに対する回転つまみの配置位置を常に最適な位置に取り付けることができ、パネルに対する回転つまみのラジアル方向のずれを最小限に抑えることができるという作用を有する。
【００１３】
また、この構成によれば、パネルの環状リブに回転つまみの環状つばを嵌め合わせる構造であるため、回転つまみを取り付けた際に、環状リブと環状つばとの中心位置が正確かつ容易に一致し、パネルに対する回転つまみのラジアル方向のずれを容易かつ確実に低減することができるという作用を有する。また、電子部品の回転軸に形成された被係合リブおよび前記回転つまみに形成された回転力伝達リブは、一方は、回転軸または回転つまみの周面に突出するように形成され、他方は前方に突出する姿勢で前記周面上の一方のリブに係合するように周方向に所定角度毎に複数設けることにより、回転つまみと回転軸との角度を目で確認しなくても、任意の回転角度からの回転つまみの取付が可能となり、取付作業性が向上するという作用を有する。
【００１４】
本発明の請求項２に記載の発明は、請求項１に記載の回転つまみの取付装置において、回転つまみの回転力伝達リブと回転軸の被係合リブとは係合可能な範囲内で隙間が設けられているものである。
【００１５】
この構成によれば、回転軸の偏心による取付位置のずれや、回転つまみの回転力伝達リブや回転軸の被係合リブの部品製造誤差が前記隙間以下であれば、これらのずれや誤差が前記隙間で吸収されて、回転つまみの回転力伝達リブと回転軸の被係合リブとが支障なく係合するという作用を有する。
【００１８】
以下、本発明の実施の形態について、図１〜図５を用いて説明する。
（実施の形態１）
図１〜図３は本発明の実施の形態における回転つまみの取付装置を示すものであり、図１（ａ）は回転つまみの取付装置の裏面図、（ｂ）は同側面図、図２は同分解斜視図、図３は同組付斜視図を示している。
【００１９】
図１〜図３において、１は、映像音響機器装置の前面のパネル２から露出するように配置され、回転軸３を回転する回転つまみである。この回転つまみ１は、プリント基板４に固定されたロータリエンコーダなどの電子部品５の回転軸３に係合する姿勢で、パネル２に回転自在に取り付けられている。これらの回転つまみ１、回転軸３、電子部品５は何れも中空状である。なお、図１（ｂ）における６はつまみカバー、７はつまみ挿入盤である。
【００２０】
詳述すると、パネル２には、回転つまみ１を配置するための丸孔２ｂと、丸孔２ｂの周りの環状リブ２ａとが形成されている。
回転つまみ１には、前面のパネル２から露出し、パネル２の環状リブ２ａに嵌め込まれる略円筒形状の環状つば１ａと、環状つば１ａの内周より略円錐台形状に奥側へすぼむ円錐状部１ｂと、この円錐状部１ｂと環状つば１ａとの接合部において周方向３箇所から後方に延設されるとともに後端が外側に突出してパネル２の環状リブ２ａに係止される爪形状の係止片１ｃと、円錐状部１ｂの後部内周側において後方に突出する姿勢で周方向に所定ピッチ（所定角度間隔）で多数（例えば１０〜２０個）設けられ、回転つまみ１の回転力を電子部品５の回転軸３に伝達するための回転力伝達リブ１ｄとが形成されている。
【００２１】
また、電子部品５の回転軸３における上部外周面には、前方に突出する姿勢で周方向に所定角度毎に複数（例えば８個）設けられ、回転つまみ１の回転力伝達リブ１ｄと噛み合って回転つまみ１の回転力を受ける被係合リブ３ａが形成されている。なお、回転つまみ１の回転力伝達リブ１ｄや回転軸３の被係合リブ３ａは先端が略Ｖ字形状とされている。
【００２２】
ここで、回転つまみ１の回転力伝達リブ１ｄと回転軸３の被係合リブ３ａとは、係合可能な範囲内で隙間が設けられている。また、図１における５ａは電子部品５をプリント基板４に固定するための固定用脚部である。
【００２３】
上記構成において、プリント基板４に電子部品５や前面のパネル２が固定されている状態で、回転つまみ１を取り付ける際には、パネル２の環状リブ２ａに回転つまみ１の環状つば１ａを嵌め合わせるようにして、回転つまみ１をパネル２の丸孔２ｂに押し込むだけでよい。すると、パネル２の環状リブ２ａに回転つまみ１の環状つば１ａが嵌め込まれてパネル２に対して回転つまみ１が周方向に摺動自在となるとともに、回転つまみ１の係止片１ｃがパネル２の環状リブ２ａの後面に係止されてパネル２により回転つまみ１が支持される。また、回転つまみ１の回転力伝達リブ１ｄが回転軸３の被係合リブ３ａの間に入り込みこれらが噛み合わされ、回転つまみ１の回転が回転力伝達リブ１ｄおよび被係合リブ３ａを介して回転軸３に伝達される。
【００２４】
この構成によれば、パネル２の環状リブ２ａに回転つまみ１の環状つば１ａを嵌め合わせる構造であるため、回転つまみ１をパネル２に取り付けた際に、環状リブ２ａと環状つば１ａとの中心位置が正確かつ容易に一致し、パネル２に対する回転つまみ１のラジアル方向のずれを容易かつ確実に低減することができ、実際のラジアル方向のずれは、パネル２の環状リブ２ａや回転つまみ１の環状つば１ａの製造誤差だけに抑えることができて、殆どないこととなる。
【００２５】
また、回転軸３の偏心による取付位置のずれや、回転つまみ１の回転力伝達リブ１ｄや回転軸３の被係合リブ３ａの部品製造時の寸法誤差がある場合でも、これらのずれや寸法誤差が、回転つまみ１の回転力伝達リブ１ｄと回転軸３の被係合リブ３ａとの間の隙間の範囲内である限り、ずれや寸法誤差が前記隙間で吸収されて、回転力伝達リブ１ｄと被係合リブ３ａとが支障なく係合されて、回転つまみ１に伴って回転軸３が回転される。
【００２６】
さらに、回転つまみ１の回転力伝達リブ１ｄが周方向に所定ピッチで多数設けられているため、回転つまみ１と回転軸３との相対角度を目で確認しなくても、任意の回転角度からの回転つまみ１の取付が可能となり、取付作業性が向上し、作業能率が良好となる。
（実施の形態２）
図４、図５は本発明の他の実施の形態における回転つまみの取付装置を示すものであり、図４（ａ）は回転つまみの取付装置の裏面図、（ｂ）は側面図、図５は分解斜視図を示している。なお、上記実施の形態とは、回転つまみ１と回転軸３との噛み合い構造だけが異なるため、その他の同機能のものには同符号を付してその説明は省略する。
【００２７】
この回転つまみの取付装置においては、回転軸３の上部における周方向所定ピッチで多数の被係合リブ３ｂが前方に突出する姿勢で形成されている。また、回転つまみ１に形成した回転軸部１ｇの外周面において、周方向に所定角度毎に複数（例えば８個）の回転力伝達リブ１ｆが形成されている。
【００２８】
この回転つまみの取付装置によっても、パネル２の環状リブ２ａに回転つまみ１の環状つば１ａを嵌め合わせるようにして、回転つまみ１をパネル２の丸孔２ｂに押し込むと、回転つまみ１の回転力伝達リブ１ｆが回転軸３の被係合リブ３ｂの間に入り込んでこれらが噛み合わされ、回転つまみ１の回転がこれらの回転力伝達リブ１ｆおよび被係合リブ３ｂを介して回転軸３に伝達される。
【００２９】
したがって、この実施の形態によっても上記実施の形態とほぼ同様の作用効果を得ることができる。
なお、上記の実施の形態においては、回転つまみ１に爪形状の係止片１ｃを設けてパネル２から脱落しないように取り付けた場合を述べたが、これに限るものではなく、他の係止構造であってもよいことは申すまでもない。また、パネル２としては前面に設けられているものに限るものではなく、上面やその他のパネルに対しても適用できることはもちろんである。
【００３０】
【発明の効果】
以上のように本発明によれば、回転つまみが回転軸に係合する姿勢で、回転つまみをパネルに回転自在に取り付けることにより、パネルに対する回転つまみの配置位置を常に最適な位置に取り付けることができ、パネルに対する回転つまみのラジアル方向のずれを最小限に抑えることができ、この結果従来のような体裁の低下を招くことを防止することができる。
【００３１】
また、パネルに形成した環状リブに、回転つまみに形成した環状つばを嵌め合わせることで、パネルに対する回転つまみのラジアル方向のずれを容易かつ確実に低減することができる。
【００３２】
また、回転力伝達用の回転つまみの回転力伝達リブと回転軸の被係合リブとの間に、係合可能な範囲内で隙間を設けることで、回転軸の偏心による取付位置のずれや、回転つまみの回転力伝達リブや回転軸の被係合リブの部品製造誤差がある場合でも、回転つまみの回転力が回転軸に良好に伝達される。
【００３３】
さらに、回転つまみの回転力伝達リブおよび回転軸の被係合リブの少なくとも一方を周方向に所定ピッチで複数設けることにより、回転つまみと回転軸との相対角度を目で確認しなくても、任意の回転角度からの回転つまみの取付が可能となり、取付作業性が向上し、作業能率が良好となる。
【図面の簡単な説明】
【図１】（ａ）は本発明の第１の実施の形態による回転つまみの取付装置の裏面図
（ｂ）は同回転つまみの取付装置の側面図
【図２】同回転つまみの取付装置の分解斜視図
【図３】同回転つまみの取付装置の組付斜視図
【図４】（ａ）は本発明の第２の実施の形態による回転つまみの取付装置の裏面図
（ｂ）は同回転つまみの取付装置の側面図
【図５】同回転つまみの取付装置の分解斜視図
【図６】（ａ）は従来の回転つまみの取付装置の正面図
（ｂ）は同従来の回転つまみの取付装置の側面図
【図７】同従来の回転つまみの取付構造の分解斜視図
【符号の説明】
１              回転つまみ
１ａ            環状つば
１ｃ            係止片
１ｄ、１ｆ      回転力伝達リブ
２              パネル
２ａ            環状リブ
２ｂ            丸孔
３              回転軸
３ａ、３ｂ      被係合リブ
４              プリント基板
５              電子部品
【図１】
0003786529.tif 000002
【図２】
0003786529.tif 000003
【図３】
0003786529.tif 000004
【図４】
0003786529.tif 000005
【図５】
0003786529.tif 000006
【図６】
0003786529.tif 000007
【図７】
0003786529.tif 000008